【手続補正書】
【提出日】令和3年11月26日(2021.11.26)
【手続補正１】
【補正対象書類名】特許請求の範囲
【補正対象項目名】全文
【補正方法】変更
【補正の内容】
【特許請求の範囲】
【請求項１】
生体の装着する部位の周方向に倣って湾曲するカーラと、
二枚の樹脂材料で形成されたシート部材を溶着することで形成され、流体により膨張する、複数が積層される一方向に長い袋状構造体、及び、前記カーラに対向して配置される前記袋状構造体の縁部の少なくとも一部に設けられ、前記カーラの外周面側に接合される、前記カーラと対向して配置される前記袋状構造体を構成する前記シート部材の一部により形成される被接合部を有するカフと、
を備え、
前記袋状構造体の膨張する領域は、前記カーラの内周面に配置され、前記袋状構造体の前記二枚のシート部材の溶着部が前記カーラの側面に配置される、血圧測定装置。
【請求項２】
前記被接合部は、前記袋状構造体の短手方向の縁部のそれぞれに設けられる、請求項１に記載の血圧測定装置。
【請求項３】
前記被接合部及び前記カーラの間に設けられ、前記被接合部及び前記カーラを接合する接合層をさらに備える、請求項１又は請求項２に記載の血圧測定装置。
【請求項４】
前記接合層は、前記袋状構造体及び前記カーラの内周面の間にさらに設けられる、請求項３に記載の血圧測定装置。
【請求項５】
前記接合層は、両面テープである、請求項３又は請求項４に記載の血圧測定装置。
【請求項６】
前記袋状構造体の短手方向の縁部のそれぞれに設けられた前記被接合部は、前記カーラの外周面側で積層され、一体に接合される、請求項２に記載の血圧測定装置。
【請求項７】
積層された前記被接合部は、溶着により接合される、請求項６に記載の血圧測定装置。
【請求項８】
前記袋状構造体は、短手方向の幅が前記カーラの短手方向の幅以上である、請求項２に記載の血圧測定装置。
【請求項９】
前記被接合部は、前記カーラの外周面と対向する部位が一枚の前記シート部材により形成される、請求項１に記載の血圧測定装置。
【手続補正２】
【補正対象書類名】明細書
【補正対象項目名】０００４
【補正方法】変更
【補正の内容】
【０００４】
そこで、血圧測定装置は、例えば、日本国特開２０１８−１０２７４３号公報に開示されるように、膨張したカフを上腕や手首に密着させるために、ベルトとカフの間にカーラを用いる技術が知られている。このような血圧測定装置は、カーラにカフを両面テープ等の接合層により接合して固定することで、カーラにカフを一体に構成する。
【手続補正３】
【補正対象書類名】明細書
【補正対象項目名】００２６
【補正方法】変更
【補正の内容】
【００２６】
上記一態様の血圧測定装置において、前記被接合部は、前記カーラの外周面と対向する部位が一枚の前記シート部材により形成される血圧測定装置が提供される。
【手続補正４】
【補正対象書類名】明細書
【補正対象項目名】００３１
【補正方法】変更
【補正の内容】
【００３１】
図１は、本発明の第１の実施形態に係る血圧測定装置１の構成を示す斜視図である。図２は、血圧測定装置１の構成を分解して示す斜視図である。図３は、血圧測定装置１の構成を示す斜視図である。図４は、血圧測定装置１を手首２００に装着した状態を示す説明図である。図５は、血圧測定装置１の構成を示すブロック図である。図６は、血圧測定装置１のカーラ５及びカフ構造体６の構成を分解して示す斜視図である。図７は、血圧測定装置１のカーラ５及びカフ構造体６の構成を示す断面図である。図８は、血圧測定装置１のカーラ５及びカフ構造体６の構成を示す断面図である。図９は、血圧測定装置１の甲カフ７４の構成を示す断面図である。図１０は、血圧測定装置１の甲カフ７４の構成を示す断面図である。図１１は、血圧測定装置１のカーラ５の構成を示す斜視図である。図１２は、血圧測定装置１のカフ構造体６の生体側の構成を示す平面図である。図１３は、カフ構造体６をカーラ５の内周面側から見た構成を示す平面図である。
【手続補正５】
【補正対象書類名】明細書
【補正対象項目名】００５８
【補正方法】変更
【補正の内容】
【００５８】
第１ベルト６１は、所謂親と呼ばれ、第２ベルト６２と連結可能な帯状に構成される。第１ベルト６１は、図１及び図２に示すように、ベルト部６１ａ及び尾錠６１ｂを有する。ベルト部６１ａは、帯状に構成される。ベルト部６１ａは、弾性変形可能な樹脂材料で形成される。また、ベルト部６１ａは、可撓性を有するとともに、ベルト部６１ａの長手方向の伸縮が抑制されるシート状のインサート部材を内部に有する。ベルト部６１ａは、一方の端部に形成され、ベルト部６１ａの長手方向に直交する第１孔部６１ｃ及び他方の端部に形成され、第１ベルト６１の長手方向に直交する第２孔部６１ｄを有する。
【手続補正６】
【補正対象書類名】明細書
【補正対象項目名】００８１
【補正方法】変更
【補正の内容】
【００８１】
チューブ８３は、図６、図１２乃至図１５に示すように、一つの空気袋８１、例えば、カーラ５に隣接する空気袋８１の長手方向の一方の縁部の一部に一体に設けられる。具体例として、チューブ８３は、空気袋８１の装置本体３に近い端部に設けられる。また、チューブ８３は、空気袋８１の短手方向の幅よりも小さい幅で一方向に長い形状に形成され、先端が円形状に形成される。チューブ８３は、先端に接続部８４を有する。チューブ８３は、接続部８４を介して流路部１５に接続され、装置本体３と空気袋８１との間の流路を構成する。
チューブ８３は、二枚のシート部材８６に接続部８４を配置した状態で、シート部材８６の空気袋８１を構成する領域に隣接するシート部材８６の一部を一方向に長い枠状に熱により溶着することで構成される。
【手続補正７】
【補正対象書類名】明細書
【補正対象項目名】００９７
【補正方法】変更
【補正の内容】
【００９７】
チューブ９２は、空気袋９１の長手方向の一方の縁部の一部に一体に設けられる。具体例として、チューブ９２は、空気袋９１の装置本体３に近い端部に設けられる。また、チューブ９２は、空気袋９１の短手方向の幅よりも小さい幅で一方向に長い形状に形成され、先端が円形状に形成される。チューブ９２は、先端に接続部９３を有する。チューブ９２は、接続部９３を介して流路部１５に接続され、装置本体３と空気袋９１との間の流路を構成する。
【手続補正８】
【補正対象書類名】明細書
【補正対象項目名】０１０１
【補正方法】変更
【補正の内容】
【０１０１】
例えば、第５シート部材９６ａ及び第６シート部材９６ｂは、空気袋９１、及びチューブ９２を構成可能な形状に構成される。第５シート部材９６ａ及び第６シート部材９６ｂは、対向して配置され、空気袋９１及びチューブ９２が流体的に連続するように、空気袋９１及びチューブ９２の周縁形状に沿って熱により溶着され、所定の形状に裁断されることで空気袋９１及びチューブ９２を構成する。
【手続補正９】
【補正対象書類名】明細書
【補正対象項目名】０１２３
【補正方法】変更
【補正の内容】
【０１２３】
流体回路７は、図５に示すように、例えば、ポンプ１４から平カフ７１及び甲カフ７４を接続する第１流路７ａと、第１流路７ａの中途部が分岐されることで構成され、ポンプ１４からセンシングカフ７３を接続する第２流路７ｂと、第１流路７ａと大気を接続する第３流路７ｃと、を備えている。また、第１流路７ａは、第１圧力センサ１７Ａを含む。第１流路７ａ及び第２流路７ｂの間には第１開閉弁１６Ａが設けられる。第２流路７ｂは、第２圧力センサ１７Ｂを含む。第１流路７ａ及び第３流路７ｃの間には、第２開閉弁１６Ｂが設けられる。
【手続補正１０】
【補正対象書類名】明細書
【補正対象項目名】０１２４
【補正方法】変更
【補正の内容】
【０１２４】
このような流体回路７は、第１開閉弁１６Ａ及び第２開閉弁１６Ｂが閉じることで、第１流路７ａのみがポンプ１４と接続し、ポンプ１４、平カフ７１及び甲カフ７４が流体的に接続される。流体回路７は、第１開閉弁１６Ａが開き、そして、第２開閉弁１６Ｂが閉じることで、第１流路７ａ及び第２流路７ｂが接続され、ポンプ１４、平カフ７１及び甲カフ７４、並びに、ポンプ１４及びセンシングカフ７３が流体的に接続される。流体回路７は、第１開閉弁１６Ａが閉じ、そして、第２開閉弁１６Ｂが開くことで、第１流路７ａ及び第３流路７ｃが接続され、平カフ７１、甲カフ７４及び大気が流体的に接続される。流体回路７は、第１開閉弁１６Ａ及び第２開閉弁１６Ｂが開くことで、第１流路７ａ、第２流路７ｂ及び第３流路７ｃが接続され、平カフ７１、センシングカフ７３、甲カフ７４及び大気が流体的に接続される。
【手続補正１１】
【補正対象書類名】明細書
【補正対象項目名】０１４３
【補正方法】変更
【補正の内容】
【０１４３】
結果として、血圧測定装置１は、カフ構造体６が膨張及び収縮を繰り返しても高い耐久性を有し、長期間、高い精度で血圧測定を行うことが可能となる。
【手続補正１２】
【補正対象書類名】明細書
【補正対象項目名】０１５２
【補正方法】変更
【補正の内容】
【０１５２】
また、血圧測定装置１は、被接合部８２、１０２のカーラ５の外周面側に接合される部位を一枚のシート部材８６、１０６により形成することから、カーラ５及びカフ７１、７４を一体としたときに、カーラ５及びカフ７１、７４の厚さが増加することを抑制できる。
【手続補正１３】
【補正対象書類名】明細書
【補正対象項目名】０１７４
【補正方法】変更
【補正の内容】
【０１７４】
１、１Ａ…血圧測定装置
３、３Ａ…装置本体
４…ベルト
５、５Ａ…カーラ
５ａ…カバー部
５ｂ…螺子孔
５ｃ…孔部
５ｄ…突起部
６、６Ａ…カフ構造体
７…流体回路
７ａ…第１流路
７ｂ…第２流路
７ｃ…第３流路
８…給電部
８ａ…配線部
８ｂ…給電端子
８ｃ…カバー
１１、１１Ａ…ケース
１１ａ…取付部
１２…表示部
１３…操作部
１４…ポンプ
１５…流路部
１６…開閉弁
１６Ａ…第１開閉弁
１６Ｂ…第２開閉弁
１７…圧力センサ
１７Ａ…第１圧力センサ
１７Ｂ…第２圧力センサ
１８…電力供給部
１９…振動モータ
２０…制御基板
３１…外郭ケース
３１ａ…ラグ
３１ｂ…バネ棒
３２…風防
３３…基部
３５…裏カバー
３５ａ…ビス
４１…釦
４２…センサ
４３…タッチパネル
５１…基板
５２…加速度センサ
５３…通信部
５４…記憶部
５５…制御部
５６…メインＣＰＵ
５７…サブＣＰＵ
６１…第１ベルト
６１ａ…ベルト部
６１ｂ…尾錠
６１ｃ…第１孔部
６１ｄ…第２孔部
６１ｅ…枠状体
６１ｆ…つく棒
６２…第２ベルト
６２ａ…小孔
６２ｂ…第３孔部
７１…平カフ（カフ）
７１Ａ…押圧カフ
７２…背板
７２ａ…溝
７３…センシングカフ
７４…甲カフ（カフ）
７５…接合層
７６…袋状カバー体
８１、８１Ａ…袋状構造体（空気袋）
８１ａ…溶着部
８２…被接合部
８３…チューブ
８３ａ…溶着部
８４…接続部
８６…シート部材
８６ａ…第１シート部材
８６ｂ…第２シート部材
８６ｂ１…開口
８６ｃ…第３シート部材
８６ｃ１…開口
８６ｄ…第４シート部材
８６ｄ１…孔部
９１…袋状構造体（空気袋）
９１ａ…溶着部
９２…チューブ
９２ａ…溶着部
９３…接続部
９６…シート部材
９６ａ…第５シート部材
９６ｂ…第６シート部材
９６ｂ１…孔部
１０１…袋状構造体（空気袋）
１０１ａ…溶着部
１０２…被接合部
１０２ａ…逃げ部
１０３…接続部
１０６…シート部材
１０６ａ…第７シート部材
１０６ｂ…第８シート部材
１０６ｂ１…開口
１０６ｃ…第９シート部材
１０６ｃ１…開口
１０６ｄ…第１０シート部材
１０６ｄ１…開口
１０６ｅ…第１１シート部材
１０６ｅ１…開口
１０６ｆ…第１２シート部材
１０６ｆ１…開口
１０６ｇ…第１３シート部材
１０６ｇ１…開口
１０６ｈ…第１４シート部材
１０６ｈ１…開口
１０６ｉ…第１５シート部材
１０６ｉ１…開口
１０６ｊ…第１６シート部材
１０６ｊ１…開口
１０６ｋ…第１７シート部材
１０６ｋ１…開口
１０６ｌ…第１８シート部材
１０６ｌ１…孔部
２００…手首
２１０…動脈